(57)【特許請求の範囲】
【請求項１】
設置されるべき場所に応じた寸法にあらかじめ切断され且つ各階の大梁との接合部には大梁を固定する大梁取付金具があらかじめ緊結されている集成材からなる複数の柱と、設置されるべき場所に応じた寸法にあらかじめ切断され且つ小梁との接合部には小梁を固定する小梁取付金具があらかじめ緊結されている集成材からなる複数の大梁と、設置されるべき場所に応じた寸法にあらかじめ切断された集成材からなる複数の小梁と、設置されるべき場所に応じた寸法および形状にあらかじめ切断された構造用合板と該構造用合板の裏面側に固定された枠組部材とからなる複数の壁パネルおよび複数の屋根パネルと、設置されるべき場所に応じた寸法にあらかじめ切断された集成材からなる複数の床板とを用いる木造家屋の建築方法であって、
木造家屋の建築場所にあらかじめ定められたベタ基礎を造る第１過程と、
前記ベタ基礎に固定されているアンカボルトを用いて前記ベタ基礎上に土台を緊結し、当該土台上に前記床板を釘で固定する第２過程と、
前記ベタ基礎上の前記複数の柱が設置されるべき場所に固定されているアンカボルトを用いて複数の柱取付金具を前記ベタ基礎上に緊結する第３過程と、
前記ベタ基礎の角に位置する前記柱取付金具に第１の柱を当該柱が垂直となるように緊結し、当該第１の柱に固定されるべき１階部分の２枚の前記壁パネルを前記第１の柱および前記土台に固定する第４過程と、
前記第１の柱および前記土台に固定されている前記壁パネルの前記第１の柱とは反対側の端部に位置すべき第２の柱を、前記ベタ基礎上の前記柱取付金具に緊結すると共に前記壁パネルに固定する第５過程と、
前記第１の柱と前記第２の柱との間の２階部分に前記大梁を前記大梁取付金具を用いて固定すると共に、当該固定された大梁に、前記第１の柱と前記第２の柱との間に固定されている前記壁パネルを固定する第６過程と、
前記ベタ基礎上に既に固定されている柱の１階部分に新たな壁パネルの一端を固定し、この壁パネルの他端側の前記ベタ基礎上に新たな柱を固定し、前記新たな壁パネルの上部の２階部分に新たな大梁を前記大梁取付金具を用いて柱に固定するという作業を繰り返して行うことにより、全ての柱を前記ベタ基礎上に固定し、１階部分の全ての壁パネルと２階部分の全ての大梁とを柱に固定する第７過程と、
２階部分の前記大梁に緊結されている前記小梁取付金具にそれぞれの前記小梁を連結することによって２階部分の全ての前記小梁を固定し、当該固定された２階部分の前記小梁上に前記床板を釘で固定する第８過程と、
２階部分の前記壁パネルを、柱および２階部分の前記大梁に固定し、当該固定された壁パネルの上部に３階部分の前記大梁を前記大梁取付金具を用いて柱に固定するという作業を繰り返して行うことにより、２階部分の全ての前記壁パネルと３階部分の全ての前記大梁とを柱に固定する第９過程と、
３階部分の前記大梁に緊結されている前記小梁取付金具にそれぞれの前記小梁を連結することによって３階部分の全ての前記小梁を固定し、当該固定された３階部分の前記小梁上に前記床板を釘で固定する第１０過程と、
３階部分の前記壁パネルを、柱および３階部分の前記大梁に固定し、当該固定された壁パネルの上部に屋上部分の前記大梁を前記大梁取付金具を用いて柱に固定するという作業を繰り返して行うことにより、３階部分の全ての前記壁パネルと屋上部分の全ての前記大梁とを柱に固定する第１１過程と、
屋上階部分の前記大梁に緊結されている前記小梁取付金具にそれぞれの前記小梁を連結することによって屋上部分の全ての前記小梁を固定し、当該固定された屋上部分の前記小梁上に前記床板を釘で固定する第１２過程と、
屋上部分の前記大梁に屋根の骨組部材を固定し、当該屋根の骨組部材と屋上部分の前記大梁に、前記屋根パネルを釘で固定する第１３過程と
を具備する木造家屋の建築方法。
【発明の詳細な説明】
【０００１】
【発明の属する技術分野】
本発明は、木造家屋の建築方法、特に柱，大梁，小梁，床板等に集成材を用いた木造家屋の建築方法に関するものである。
【０００２】
【従来の技術】
調湿能力，保温性，断熱性に優れており加工が容易な木材を用いた住宅用家屋は、従来から広く建設されている。そして、これらの住宅用家屋は、通常、建築現場において鋸やのみ等の道具によって木材を加工しながら建設されている。
【０００３】
【発明が解決しようとする課題】
しかしながら従来の木造家屋は、耐震性などの強度を高めるための火打土台や火打梁を必要とする構造となっており、さらに原料となる木材を建築現場で加工しながら建築作業を行うために家屋の建設工期が長くなるという問題点があった。
【０００４】
本発明の目的は、従来の木材に比して高強度の集成材を構造材として用いることによって従来に比して単純な構造でしかも高強度である木造家屋の建築方法を提供することにあり、殊に建設工期を従来に比し著しく短縮することができる木造家屋の建築方法を提供することにある。
【０００５】
【課題を解決するための手段】
以上の目的を達成するために、本発明は、設置されるべき場所に応じた寸法にあらかじめ切断され且つ各階の大梁との接合部には大梁を固定する大梁取付金具があらかじめ緊結されている集成材からなる複数の柱と、設置されるべき場所に応じた寸法にあらかじめ切断され且つ小梁との接合部には小梁を固定する小梁取付金具があらかじめ緊結されている集成材からなる複数の大梁と、設置されるべき場所に応じた寸法にあらかじめ切断された集成材からなる複数の小梁と、設置されるべき場所に応じた寸法および形状にあらかじめ切断された構造用合板と該構造用合板の裏面側に固定された枠組部材とからなる複数の壁パネルおよび複数の屋根パネルと、設置されるべき場所に応じた寸法にあらかじめ切断された集成材からなる複数の床板とを用いる木造家屋の建築方法であって、木造家屋の建築場所にあらかじめ定められたベタ基礎を造る第１過程と、前記ベタ基礎に固定されているアンカボルトを用いて前記ベタ基礎上に土台を緊結し、当該土台上に前記床板を釘で固定する第２過程と、前記ベタ基礎上の前記複数の柱が設置されるべき場所に固定されているアンカボルトを用いて複数の柱取付金具を前記ベタ基礎上に緊結する第３過程と、前記ベタ基礎の角に位置する前記柱取付金具に第１の柱を当該柱が垂直となるように緊結し、当該第１の柱に固定されるべき１階部分の２枚の前記壁パネルを前記第１の柱および前記土台に固定する第４過程と、前記第１の柱および前記土台に固定されている前記壁パネルの前記第１の柱とは反対側の端部に位置すべき第２の柱を、前記ベタ基礎上の前記柱取付金具に緊結すると共に前記壁パネルに固定する第５過程と、前記第１の柱と前記第２の柱との間の２階部分に前記大梁を前記大梁取付金具を用いて固定すると共に、当該固定された大梁に、前記第１の柱と前記第２の柱との間に固定されている前記壁パネルを固定する第６過程と、前記ベタ基礎上に既に固定されている柱の１階部分に新たな壁パネルの一端を固定し、この壁パネルの他端側の前記ベタ基礎上に新たな柱を固定し、前記新たな壁パネルの上部の２階部分に新たな大梁を前記大梁取付金具を用いて柱に固定するという作業を繰り返して行うことにより、全ての柱を前記ベタ基礎上に固定し、１階部分の全ての壁パネルと２階部分の全ての大梁とを柱に固定する第７過程と、２階部分の前記大梁に緊結されている前記小梁取付金具にそれぞれの前記小梁を連結することによって２階部分の全ての前記小梁を固定し、当該固定された２階部分の前記小梁上に前記床板を釘で固定する第８過程と、２階部分の前記壁パネルを、柱および２階部分の前記大梁に固定し、当該固定された壁パネルの上部に３階部分の前記大梁を前記大梁取付金具を用いて柱に固定するという作業を繰り返して行うことにより、２階部分の全ての前記壁パネルと３階部分の全ての前記大梁とを柱に固定する第９過程と、３階部分の前記大梁に緊結されている前記小梁取付金具にそれぞれの前記小梁を連結することによって３階部分の全ての前記小梁を固定し、当該固定された３階部分の前記小梁上に前記床板を釘で固定する第１０過程と、３階部分の前記壁パネルを、柱および３階部分の前記大梁に固定し、当該固定された壁パネルの上部に屋上部分の前記大梁を前記大梁取付金具を用いて柱に固定するという作業を繰り返して行うことにより、３階部分の全ての前記壁パネルと屋上部分の全ての前記大梁とを柱に固定する第１１過程と、屋上階部分の前記大梁に緊結されている前記小梁取付金具にそれぞれの前記小梁を連結することによって屋上部分の全ての前記小梁を固定し、当該固定された屋上部分の前記小梁上に前記床板を釘で固定する第１２過程と、屋上部分の前記大梁に屋根の骨組部材を固定し、当該屋根の骨組部材と屋上部分の前記大梁に、前記屋根パネルを釘で固定する第１３過程とを具備することを特徴とするものである。
【０００６】
【発明の実施の形態】
以下、図面を用いて本発明の実施形態について説明する。
【０００７】
先ず、本発明に係る木造家屋の構造材として使用される集成材について説明する。
【０００８】
集成材とは、良質な木材を芯まで乾燥させた後に集成，密着させることによって製造されるものである。この集成材（Ａ）の斜視図を図１（ａ）に、側面図を図１（ｂ）に示す。
【０００９】
このような集成材Ａは、従来の木材に比して約１．５倍の強度があり、また割れ，曲り，ねじれ等がなく寸法精度が高く、さらに火災のときには表面に炭火層が出来て燃えにくくなるという建築材料としては優れているものである。
【００１０】
本発明に係る木造家屋は、この集成材を柱，大梁，小梁，床板等の構造材として用いることによって、火打土台や火打梁を必要としない従来例に比して単純な構造でしかも高強度な木造家屋となっている。また、これらの柱，大梁，小梁，床板等は、設計図面に従って設置されるべき場所に応じた所定の寸法に工場等であらかじめ切断されており、さらに後述する取付金具の装着や端部の加工なども工場等であらかじめ行われている。従って建築現場で木材の加工を行う必要はない。
【００１１】
図２（ａ），（ｂ）は本発明に係る木造家屋に用いられる梁の取付金具の構成を示した斜視図であり、図２（ａ）は大梁取付金具Ｂ１の構成を、図２（ｂ）は小梁取付金具Ｂ２の構成をそれぞれ示している。大梁取付金具Ｂ１および小梁取付金具Ｂ２には、取付ボルト用のボルト穴ｂ１と取付ボルト係合用の切欠きｂ２と固定ピン用のピン穴ｂ３とがそれぞれ設けられている。図３は柱を基礎に固定するときに用いるボルト用の穴ｃが設けられた柱取付金具Ｃの構成を示した斜視図である。なお、これらの取付金具に亜鉛メッキを施せばサビに強い取付金具となることは勿論である。さらに、これらの取付金具は、その厚さを４．５ｍｍ位として強度を持たせることが望ましい。
【００１２】
ここで、柱の大梁との接合部には、大梁取付金具Ｂ１がボルト穴ｂ１を用いてあらかじめ工場等で緊結されており、また、大梁の小梁との接合部には、小梁取付金具Ｂ２がボルト穴ｂ１を用いてあらかじめ工場等で緊結されている。
【００１３】
図４（ａ），（ｂ）は本発明に係る木造家屋に用いられる壁パネルの構成を示した斜視図であり、図４（ａ）は窓が有る壁パネルＤを、図４（ｂ）は窓のない壁パネルＤの構成をそれぞれ示している。この壁パネルＤは、あらかじめ定められた寸法および形状に加工された厚さ９ｍｍの構造用合板（ＪＩＳ認定）ｄ１に、２´×４´の枠組部材ｄ２をＮ６５の釘で１５ｃｍピッチで固定して構成したものである。この壁パネルＤを柱や大梁等に固定する場合には、構造用合板ｄ１の周縁部にＮ６５の釘を１５ｃｍピッチで打ちつけることにより壁パネルＤを柱や大梁等に固定する。また枠組部材ｄ２を柱や大梁等に固定する場合にもＮ６５の釘を用いる。なお、屋根部分を形成する屋根パネルＤ’，Ｄ”（図示せず）も、壁パネルＤと同様に、構造用合板ｄ１と枠組部材ｄ２とによって構成されている。
【００１４】
以下、図面を用いて本発明に係る木造家屋の建築方法について説明する。
【００１５】
先ず、図５に示すように、建築現場に設計図に従って耐震性の高いベタ基礎１を設ける。
【００１６】
次に、図６に示すように、ベタ基礎１上に土台２を緊結する。この土台２の緊結は、図７に示すように、ベタ基礎１に固定されているアンカボルト３とナット４によって行う。
【００１７】
土台２上に床板を釘で固定した後、柱取付金具Ｃをアンカボルト５とナット６とを用いてベタ基礎１に緊結する。全ての柱取付金具Ｃの設置が終了した後に、ベタ基礎１の角に固定されるべき第１の柱１０を柱取付金具Ｃに緊結する。
【００１８】
柱１０の下端部には、図７に示したように、金具用溝１１とボルト挿通穴１２とがあらかじめ設けられている。柱１０をクレーン等により垂直に保った状態で、ボルト７およびナット８によって柱１０を柱取付金具Ｃに緊結する。先に説明したように、この柱１０の大梁との接合部には、図８に示したように大梁取付金具Ｂ１があらかじめボルトとナットによって緊結されている。なお、本実施形態の柱１０の寸法は、１７（ｃｍ）×１７（ｃｍ）×９（ｍ）となっている。
【００１９】
ベタ基礎１の角に第１の柱１０を固定した後、図９に示すようにこの第１の柱１０に固定されるべき１階部分の２枚の壁パネルＤを柱１０および土台２に固定する。このように２枚の壁パネルＤを柱１０および土台２に固定することにより、柱１０を自立させるための「筋交い」等の部材を省くことができる。
【００２０】
次に、図１０に示したように、第１の柱１０に一端が固定されている壁パネルＤの他端に固定されるべき第２の柱１０をベタ基礎１および壁パネルに固定する。その後第１の柱１０と第２の柱１０との２階部分に大梁２０を固定し、この大梁２０に壁パネルＤを固定する。
【００２１】
ここで大梁２０の両端部には、図１１に示したように金具用溝２１とボルトおよびピンの挿通孔２２とボルト・ナット用溝２３とがあらかじめ加工されて設けられている。また、大梁２０の最上部の挿通孔２２には、あらかじめボルト１３がナット１４によって取付けられている。大梁２０を柱１０に固定する場合には、大梁取付金具Ｂ１の上部側から大梁２０の端部を押し下げることにより、大梁取付金具Ｂ１の切欠きｂ１にボルト１３を係合させ、その後固定用ピンＰを大梁２の側部から打ち込んで大梁２０を柱１０に固定する。
【００２２】
なお、図１１に示したように大梁２０の小梁との接合部には、小梁取付金具Ｂ２があらかじめ工場等で緊結されており、小梁の両端部は、大梁２０の両端部と同様な構造となるように工場等であらかじめ加工されている。
【００２３】
以上説明したように、壁パネルＤ→柱１０→大梁２０→壁パネルＤと順次に固定していくことにより、全ての柱１０をベタ基礎１上に固定し、２階部分の全ての大梁２０を柱１０に固定し、１階部分の全ての壁パネルＤを柱１０，土台２，２階部分の大梁２０に固定する。
【００２４】
なお、以上の説明において、図面が煩雑化するのを避けるために１階部分の床板が省かれているが、この１階部分の床板は、図６に示した土台２の固定後に先に説明したようにこの土台２上に固定されるものである。
【００２５】
次に図１２に示したように、２階部分の大梁２０に、小梁２５を小梁取付金具Ｂ２を用いて固定し、図１３に示したようにこの固定された小梁２５上に２階部分の床板３０を固定する。
【００２６】
ここで本実施形態では、床板３０の厚さは２７ｍｍであり、床板３０は、１５ｃｍピッチでＮ７５の釘で固定されている。このように、厚さ２７ｍｍの床板３０を１５ｃｍピッチでＮ７５の釘で固定するという所謂剛床工法を採用することにより、従来必要とされていた火打梁や火打土台を省くことができ、その分だけ工期を短縮することができる。
【００２７】
さらに、図１３に示したように、２階部分の床組みをこの段階で造ることによって、上段の建築作業が容易となり、それだけ作業効率を高くすることができる。
【００２８】
次に、２階部分の壁パネルＤを、柱１０および２階部分の大梁２０に固定し、３階部分の大梁２０を柱１０に固定し、この固定された３階部分の大梁２０に２階部分の壁パネルＤを固定する。次に、３階部分の大梁２０に小梁２５を固定し、この固定された小梁２５上に３階部分の床板３０を固定する。
【００２９】
この２階部分の構成過程と同様の過程を繰り返すことにより、３階部分を構成し、図１４に示したように屋上の床板３０が固定された状態にする。
【００３０】
このように同様の作業内容によって各階の床組みを機械的に行うことができるために、本発明に係る建築方法は従来に比して作業性を著しく高めることができる。
【００３１】
次に２´×６´の骨組部材４０と固定用金具とを用いて屋根の骨組を造る。
【００３２】
この屋根の骨組に、図１５に示したように妻側の屋根パネルＤ’を固定した後、図１６に示したようにその他の屋根パネルＤ”を固定する。
【００３３】
図１７に、本実施形態に係る木造家屋の完成図を示す。
【００３４】
【発明の効果】
以上説明したように、本発明によれば、従来の木造家屋に比して単純な構造でしかも高強度である木造家屋を、従来に比して短い工期で建設することができ、木造家屋の建設費の低減化を図ることができる。
【図面の簡単な説明】
【図１】集成材の構成を示した説明図である。
【図２】本発明に係る木造家屋に用いられる取付金具の構成を示した斜視図である。
【図３】本発明に係る木造家屋に用いられる取付金具の構成を示した斜視図である。
【図４】本発明に係る木造家屋に用いられる壁パネルの構成を示した斜視図である。
【図５】本発明に係る建築方法の説明図である。
【図６】本発明に係る建築方法の説明図である。
【図７】基礎と土台との固定方法および基礎と柱との固定方法の説明図である。
【図８】本発明に係る木造家屋に用いられる柱の構成を示す斜視図である。
【図９】本発明に係る建築方法の説明図である。
【図１０】本発明に係る建築方法の説明図である。
【図１１】柱と大梁との接合部の構成を示す斜視図である。
【図１２】本発明に係る建築方法の説明図である。
【図１３】本発明に係る建築方法の説明図である。
【図１４】本発明に係る建築方法の説明図である。
【図１５】本発明に係る建築方法の説明図である。
【図１６】本発明に係る建築方法の説明図である。
【図１７】本発明に係る木造家屋の一例を示した斜視図である。
【符号の説明図】
１  ベタ基礎
２  土台
３，５  アンカボルト
４，６，８，１４  ナット
７，１３  ボルト
１０  柱
１１，２１  金具用溝
１２，２２  挿通孔
２０  大梁
２３  ボルト・ナット用溝
２５  小梁
３０  床板
４０  小屋根組み
Ａ  集成材
Ｂ１  大梁取付金具
Ｂ２  小梁取付金具
Ｃ  柱取付金具
Ｄ  壁パネル
Ｄ’，Ｄ”  屋根パネル
Ｐ  固定ピン
【図１】
0003749920.tif 000002
【図２】
0003749920.tif 000003
【図３】
0003749920.tif 000004
【図４】
0003749920.tif 000005
【図５】
0003749920.tif 000006
【図６】
0003749920.tif 000007
【図７】
0003749920.tif 000008
【図８】
0003749920.tif 000009
【図９】
0003749920.tif 000010
【図１０】
0003749920.tif 000011
【図１２】
0003749920.tif 000012
【図１１】
0003749920.tif 000013
【図１３】
0003749920.tif 000014
【図１４】
0003749920.tif 000015
【図１５】
0003749920.tif 000016
【図１６】
0003749920.tif 000017
【図１７】
0003749920.tif 000018